(57)【要約】【課題】取り扱い中にガン玉が飛散することがなく、かつ釣糸へのガン玉の取り付けが容易で、ポケットに入れて持ち歩いてもガン玉の割溝がつぶれないガン玉保持具を提供する。【解決手段】釣糸に取り付けるための割溝が形成された複数のガン玉を、仮止め用接着剤を介して、割溝とは反対側の面を被接着面として保持基材のガン玉保持面に離間状態で仮止めする構成とした。また、保持基材のガン玉保持面に、釣糸のガン玉の取り付け部分を擦り付けることにより、このガン玉の取り付け部分の外周面に釣糸用粘着剤を付着させる釣糸用粘着剤部を設けてもよい。【選択図】図１
2017035028.tif 000002
【特許請求の範囲】
【請求項１】
釣糸に取り付けるための割溝が形成された複数のガン玉が、保持基材のガン玉保持面に離間状態で保持されたガン玉保持具であって、
前記複数のガン玉は、仮止め用接着剤を介して、前記割溝とは反対側の面を被接着面として前記保持基材のガン玉保持面に仮止めされたガン玉保持具。
【請求項２】
前記保持基材のガン玉保持面には、前記釣糸のガン玉の取り付け部分を擦り付けることにより、このガン玉の取り付け部分の外周面に釣糸用粘着剤を付着させる釣糸用粘着剤部を設けた請求項１に記載のガン玉保持具。
【発明の詳細な説明】
【技術分野】
【０００１】
この発明はガン玉保持具、詳しくは複数のガン玉が、釣糸への取り付けが容易な姿勢で保持されたガン玉保持具に関する。
【背景技術】
【０００２】
例えば、水中に撒き餌を撒きながら行うふかせ釣りの仕掛けにあっては、ハリスに付けた釣針の沈降速度の調整や、浮きの浮力調整に使うため、ハリスの任意の位置に、ガン玉と呼ばれる直径が数ｍｍの錘を取り付けることがある。ガン玉の一側部には、中心部にハリスを位置決めできるように、ガン玉の中心部に向けてＶ字状の割溝が形成されている。
このガン玉は、例えば、特許文献１の「釣り用道具」に開示された錘（ガン玉）ケースの中に、バラバラの状態で投入されていた。
使用時には、錘ケースからガン玉を１つ取り出し、ガン玉を一方の手の親指と人差し指よりつまみ、その掌の小指球と小指とを使用してハリスの一部を挟み込む。その後、他方の手の親指と人差し指とによってハリスの別の部分をつまむ。次に、こうしてつまんだハリスの２箇所の間の部分を割溝に差し込み、この状態を保持してガン玉を噛んだり、ペンチや専用のカシメ具によってガン玉をかしめ（締め付け）ていた。
【先行技術文献】
【特許文献】
【０００３】
【特許文献１】特開２００６−１８０７２７号公報
【発明の開示】
【発明が解決しようとする課題】
【０００４】
このように、従来のガン玉は、錘ケースの内部空間に散在した状態で収納されていたため、ケースの蓋を開けた時、ガン玉がこぼれてしまうおそれがあった。
また、一般的なガン玉は、直径が数ｍｍ程度と小粒である。そのため、上述したように一方の手でガン玉をつまんでハリスを割溝に差し込み、その後、この状態を保持してガン玉をかしめなければならず、その作業が面倒で、熟練しなければ、何度も作業をやり直さなければならなかった。
さらに、ガン玉入りのガン玉ケースを衣服のポケットに入れて持ち歩くことにより、小粒のガン玉がケース壁面に繰り返し衝突し、割溝がつぶれてしまうおそれがあった。
【０００５】
ところで、ガン玉は潮の流れなどを見ながら、ハリスへの取り付け位置を上下させたり、付けたり外したりしている。また、小型のガン玉の場合、ガン玉をハリスの最適な位置に取り付けても、仕掛けの投げ込み時に、撓った釣竿の反発力が釣糸に作用したり、魚のアタリ時に、瞬間的に大きな引き力が釣糸に作用することでガン玉が位置ずれしていた。
そこで、これらに対処するため、ガン玉をハリスに取り付けるとき、使用者はハリスを傷付けずにガン玉を移動でき、かつハリスからガン玉が外れにくくなる、絶妙なかしめ具合を習得しなければならなかった。
【０００６】
しかしながら、このかしめ具合の習得には熟練を要するため、近年、ガン玉の割溝にゴムを張り付けたゴム張りガン玉や、ガン玉全体を薄くゴムによって被覆したゴムコートガン玉が開発されている。これらは、ガン玉とハリスとの間にゴム材を介在させることで、ハリスに傷を付けずガン玉を移動可能とし、かつガン玉をハリスから外れにくくしたものである。
ところが、このような特殊加工がされたガン玉は高価であった。また、ガン玉が小型の場合、ガン玉の製造過程において、割溝のわずかな形成面にゴム材を設ける作業が難しかった。さらには、割溝の幅がゴム材の厚さ分だけ狭くなるため、ハリスへのガン玉の取り付け（装着、掛止）時、狭い割溝にハリスを差し込む作業がさらに難しくなっていた。
【０００７】
そこで、発明者は鋭意研究の結果、複数のガン玉を、仮止め用接着剤を介して、割溝とは反対側の面を被接着面とし、保持基材のガン玉保持面に仮止めしたガン玉保持具に保持しておけば、上述した釣糸へのガン玉の取り付け作業の困難さの問題や、ガン玉ケースを持ち歩いたときのケース壁面にガン玉が衝突して生じる割溝のつぶれの問題はすべて解消されることを知見し、この発明を完成させた。
また、発明者は、保持基材のガン玉保持面に釣糸用粘着剤部を設け、これに釣糸のガン玉の取り付け部分を擦り付けて釣糸用粘着剤を付着させるようにすれば、上述したゴム張りガン玉やゴムコートガン玉に関する課題をすべて解消できることを知見し、この発明を完成させた。
【０００８】
すなわち、この発明は、取り扱い中にガン玉が飛散することがなく、かつ釣糸へのガン玉の取り付けが容易で、ポケットに入れて持ち歩いてもガン玉の割溝がつぶれないガン玉保持具を提供することを目的としている。
また、この発明は、割溝にゴム材が固着した高価なガン玉を使用せずとも、釣糸に傷を付けずにガン玉をハリスに沿って移動でき、かつガン玉を釣糸から外れにくくできるとともに、ガン玉の釣糸取り付け時、釣糸のガン玉の取り付け部分をガン玉の割溝に付着させて、手の自由度も高められるガン玉保持具を提供することを目的としている。
【課題を解決するための手段】
【０００９】
請求項１に記載の発明は、釣糸に取り付けるための割溝が形成された複数のガン玉が、保持基材のガン玉保持面に離間状態で保持されたガン玉保持具であって、前記複数のガン玉は、仮止め用接着剤を介して、前記割溝とは反対側の面を被接着面として前記保持基材のガン玉保持面に仮止めされたガン玉保持具である。
【００１０】
ここでいうガン玉保持具とは、保持基材のガン玉保持面に、複数のガン玉が離間した状態で仮止めされたガン玉保持用の部材である。保持基材の外周縁には周壁板などの突起物がない方が、ガン玉の割溝への釣糸の差し込み作業が容易となるために好ましい。
保持基材としては、例えばケース、板材、紙材、ブロック材などを採用することができる。
保持基材の素材としては、例えば、各種のプラスチック（ポリプロピレン、ポリアミド、ポリカーボネートなど）、各種の金属（鉄、ステンレス、アルミニウムなど）、各種の木（杉、松、桧など）、各種の紙などを採用することができる。
保持基材のガン玉保持面は、保持基材の表面（外面）でも、その裏面（内面）でもよい。またはこれらの両面でもよい。このガン玉保持面は、ガン玉の割溝への釣糸の差し込み作業の容易性を考慮すれば、平坦な面またはやや凸形に湾曲した面が好ましい。ガン玉保持面が凹面でも深くなければ使用に問題はない。
【００１１】
釣糸は、ガン玉が取り付けられるハリス、道糸などである。
ガン玉のサイズ（直径、重さ）は任意である。
ガン玉の使用数は、２つ以上であれば任意である。これらは一列に離間させても、ドットマトリクス状に縦横方向に所定ピッチで離間されてもよい。その他、複数のガン玉を無秩序に離間させてもよい。ガン玉の離間長さは任意である。
割溝とは、釣糸にガン玉を取り付けるため、ガン玉の外周面からその中心部まで達し、かつガン玉の中心線の長さ方向に延びた溝である。したがって、ガン玉の外周面（球面）のうち、ガン玉の割溝とは反対側の面（被接着面）は、割溝が存在しない湾曲面（半球面）となっている。
【００１２】
ここでいう仮止め用接着剤とは、ガン玉を保持基材のガン玉保持面に離脱可能に仮止めするための、粘着剤を含む接着剤である。
仮止め用接着剤としては、例えば、各種の粘着剤（ゴム系粘着剤、アクリル系粘着剤、シリコーン系粘着剤など）を採用することができる。その他、常温で固化する熱可塑性プラスチックを加熱溶融させて被接着物（ガン玉）に塗布し、冷却により保持基材に固着するホットメルトでもよい。
【００１３】
請求項２に記載の発明は、前記保持基材のガン玉保持面には、前記釣糸のガン玉の取り付け部分を擦り付けることにより、このガン玉の取り付け部分の外周面に釣糸用粘着剤を付着させる釣糸用粘着剤部を設けた請求項１に記載のガン玉保持具である。
【００１４】
釣糸用粘着剤部とは、保持基材のガン玉保持面に釣糸用粘着剤が、例えば半固形状態で設けられたものをいう。
釣糸用粘着剤部の保持基材における設置位置は任意である。例えば、ガン玉保持領域の近くでも、そこから離れた位置（例えば、保持基材のガン玉保持面とは反対側の面）でもよい。
釣糸用粘着剤としては、例えば、ゴム系粘着剤、アクリル系粘着剤、シリコーン系粘着剤などを採用することができる。
【発明の効果】
【００１５】
請求項１に記載のガン玉保持具は、複数のガン玉を、仮止め用接着剤を介して、割溝とは反対側の面を被接着面として、ガン玉保持具の本体である保持基材のガン玉保持面に仮止めしている。そのため、従来のガン玉ケースに複数のガン玉を投入したものの課題であった、取り扱い時（ケース開蓋時など）に、ガン玉ケース（保持基材）の外にガン玉がこぼれ落ちるおそれがないとともに、ガン玉保持具をポケットに入れて持ち歩いても、ガン玉の割溝はつぶれない。
また、釣糸にガン玉を取り付ける際には、まずガン玉保持面を上に向けて保持基材を片手に持ち、この状態で、釣糸のガン玉の取り付け部分を中心にして、そこから釣糸の長さ方向に離間した２箇所を両手の指先でそれぞれつまみ、次に、釣糸の長さ方向をガン玉の割溝の延びる方向に一致させて、ガン玉の取り付け部分を割溝に差し込み、ペンチなどによってガン玉をかしめる。
これにより、従来のガン玉の取り付け方よりも使用者の手の自由度が高まり、ガン玉を釣糸に取り付ける作業が容易となる。
【００１６】
請求項２に記載の発明によれば、釣糸へのガン玉の取り付ける前に、釣糸用粘着剤部に釣糸のガン玉の取り付け部分を擦り付けて、ガン玉の取り付け部分の外周面に釣糸用粘着剤を付着させる。そのため、釣糸を割溝に差し込んだ際、ガン玉の取り付け部分に付着した釣糸用粘着剤の作用によって、仮に釣糸から手を離しても釣糸が割溝から外れない。その結果、従来の場合に比べて、ガン玉を釣糸に取り付ける作業が容易となる。
また、割溝にゴム材が固着した従来の高価なガン玉を使用せずとも、釣糸に傷を付けずにガン玉をハリスに沿って移動させることができる。ガン玉をかしめる際には粘着剤がクッションとなり、ハリスを痛めることがない。また、使用中に釣糸からガン玉を外れにくくすることができる。
粘着剤を釣り糸に擦りつけ、当該こすり付けた部分の釣り糸にガン玉を固定することにより、さらに以下の効果を発揮するものである。すなわち、釣り糸に直接（粘着剤なしで）ガン玉をかしめて取り付けた場合、鉛（ガン玉）は本来軟らかい金属であることから、かしめによる釣り糸への固着力はそんなに強いものではなく、合わせ時、投入時など瞬間的な外力がガン玉に何度も作用するとガン玉が釣り糸上で位置ずれしていた。この位置ずれに対してはその都度元の位置に戻して再度かしめる作業が必要となっていた。これに対して、粘着剤をこすり付けて後ガン玉を装着すると、かしめる力（ペンチでのはさみ付ける力）は、従来と同じ程度であっても、釣り糸にガン玉を固定する力が増すため、合わせ時、釣り糸投入時などのように瞬間的に大きな外力が作用したとしてもガン玉が位置ずれすることが少なくなる。一方、ガン玉位置をずらす場合は、指でガン玉をつまみ釣り糸にそって動かすが粘着剤も合わせて移動させることができ、そのガン玉固着力を維持することができる。
【図面の簡単な説明】
【００１７】
【図１】この発明の実施例１に係るガン玉保持具の斜視図である。
【図２】この発明の実施例１に係るガン玉保持具の開蓋状態の平面図である。
【図３】この発明の実施例１に係るガン玉保持具の開蓋状態の縦断図である。
【図４】この発明の実施例１に係るガン玉に釣り糸をくっつける作業を示す拡大図で、（ａ）から（ｂ）の順番に釣り糸をガン玉およびガン玉保持面に止着する状態を示している。
【図５】この発明の実施例１に係るガン玉保持具における釣糸へのガン玉のかしめ作業を示す拡大図である。
【発明を実施するための形態】
【００１８】
以下、この発明の実施例を具体的に説明する。
【実施例】
【００１９】
図１〜図３において、１０はこの発明の実施例１に係るガン玉保持具で、このガン玉保持具１０は、ハリス（釣糸）１１への取り付け用の割溝１２が形成された複数のガン玉１３が、ガン玉ケース（保持基材）１４のケース本体１６の内部空間の底面と、蓋体（保持基材）１５の裏面とに、それぞれ所定の離間状態で保持されたものである。
以下、これらの構成体を具体的に説明する。
ガン玉ケース１４は、合成樹脂からなる平面視して縦長な矩形状のケース本体１６と、平面視して縦長な矩形状の蓋体１５とが、樹脂ヒンジ１７を介して一体成形されたものである。
【００２０】
ケース本体１６は、底板１８の外周部の内面に、図２中の前後左右に配された４枚の側板からなる周壁板１９が立設されたものである。周壁板１９のうち、樹脂ヒンジ１７に連結した側板とは反対側の側板（下側の側板）１９ａには、その上縁部の幅方向の中間部の内面に、横長な掛止溝２０が形成されている。
また、底板１８の４つの辺部のうち、樹脂ヒンジ１７に連結した側とは反対側（下側）の辺部が、周壁板１９より外方（下方）に突出し、ここが開蓋時の指先の掛止部となる。
さらに、底板１８の内面のうち、周壁板１９により囲まれた部分（ケース本体１６の底面）の全域には、スポンジ基材層を有する厚肉な第１の両面テープ（仮止め用接着剤）２１が貼着されている。この第１の両面テープ２１の上面（表面）が、ケース本体１６側のガン玉保持面ａとなる。
【００２１】
第１の両面テープ２１の上面のうち、右側半分の領域には、縦４つ横２つ（合計８つ）の６号サイズのガン玉１３が、縦横同一ピッチでドットマトリクス状に粘着（仮止め）されている。
また、第１の両面テープ２１の上面のうち、左側半分の領域には、縦４つ横２つの７号サイズのガン玉１３が、６号サイズのものと同一ピッチで、ドットマトリクス状に粘着されている。
各ガン玉（後述の８号サイズのものも同じ）１３は、割溝１２とは反対側の面を被貼着面として貼着されている。また、すべてのガン玉１３の割溝１２の延びる方向は、ドットマトリックス状に配列された各ガン玉１３の一方の斜め配列ラインｂを基準にして、約１０°だけ傾斜している（図２）。これにより、第１の両面テープ２１の上面のうち、ハリス１１の一部を指先で押さえるスペースが、この斜め配列ラインに一致させた場合に比べて広くなる。その結果、ガン玉１３の配列ピッチを狭めて、ガン玉１３の貼着密度を高めることができる。
さらに、第１の両面テープ２１の右側半分の領域の上端部には、“６（号）”の文字が表記されたラベルＬ１が貼着され、かつ第１の両面テープ２１の左側半分の領域の上端部には、“７（号）”の文字が表記されたラベルＬ２が貼着されている。
【００２２】
蓋体１５は、天板２２の外周部の内面に、図２中の前後左右に配された４枚の側板からなる周壁板２３が立設されたものである。なお、蓋体１５の周壁板２３は、ケース本体１６の周壁板１９より高さが低い。
また、天板２２の４つの辺部のうち、樹脂ヒンジ１７に連結した側とは反対側（上側）の辺部が、周壁板２３より外方（上方）に突出し、ここが開蓋時のもう一方の指先の掛止部となる。
さらに、天板２２の裏面のうち、その上端部を除いた領域には、スポンジ基材層を有する厚肉な第２の両面テープ（仮止め用接着剤）２４が貼着されている。この第２の両面テープ２４の上面（表面）が、前記蓋体１５側のガン玉保持面ｃとなる。
【００２３】
第２の両面テープ２４の上面のうち、その外周部を除いた領域には、縦３つ横３つ（合計６つ）の８号サイズのガン玉１３が、前記６号、７号サイズのものと同一ピッチで、ドットマトリクス状に粘着されている。
これらの８号サイズのガン玉１３は、ガン玉ケース１４の閉蓋時、６号サイズのガン玉１３と７号サイズのガン玉１３とを縦横の仮想格子ラインｄの交点とした、多数の格子空間の中央部に配置されるように、第２の両面テープ２４への粘着位置が調整されている。８号サイズのガン玉１３は、６号や７号サイズのガン玉１３とは位置（列）が異なるため、互い違い位置でガン玉同士が接触することがなく、その結果としてケースの厚みを薄くすることができる。そのため、ケース閉蓋時、各８号サイズのガン玉１３は、第１の両面テープ２１には貼着しない（図３）。
【００２４】
また、天板２２の裏面の上端部には、ハリス１１の一部に設けたガン玉１３の取り付け部分を擦り付けることにより、このガン玉１３の取り付け部分の外周面に釣糸用粘着剤２５を付着させる釣糸用粘着剤部２６の収納領域が形成されている。
この収納領域のうち、図２中の上下方向の中間部には、横長な左右一対の釣糸用粘着剤部２６が、所定の離間をあけて配設されている。各釣糸用粘着剤部２６は、ニトムズ社製の人工芝固定用のゴム系粘着剤を短冊状にカットしたものである。このように、各釣糸用粘着剤部２６をこれ用の収納領域の上下方向の中間部に配設したため、釣糸用粘着剤部２６の上下両側に、このガン玉１３の取り付け部分を擦り付ける際に利用可能な指置き空間を確保することができる。これにより、ハリス１１の一部分（ガン玉１３の取り付け部分）を、釣糸用粘着剤部２６に押し付ける作業がしやすくなる。
【００２５】
また、釣糸用粘着剤部２６の収納領域の下端部の幅方向の中間部には、“８（号）”の文字が表記されたラベルＬ３が貼着されている。
さらに、周壁板２３のうち、樹脂ヒンジ１７に連結した側板とは反対側の側板（上側の側板）２３ａには、その上縁部の幅方向の中間部の内面に、横長な掛止突起２７が形成されている。ガン玉ケース１４の閉蓋時、この掛止突起２７がケース本体１６の掛止溝２０に嵌り込むことで、蓋体１５がケース本体１６に掛止される。
【００２６】
次に、図１〜図５を参照して、この発明の実施例１に係るガン玉保持具１０の使用方法を説明する。ここでは、６号サイズのガン玉１３にハリス１１を取り付ける作業を例に説明する。
図１および図２に示すように、ハリス１１にガン玉１３を取り付ける際には、まずケース本体１６のガン玉保持面ａと、蓋体１５のガン玉保持面ｃとが上方に向くようにガン玉ケース１４を開蓋し、これを片手に持つ。
次いで、ハリス１１の一部分（２〜３ｃｍほどの長さ）を離間させた状態で両手の指先でつまみ、その間の部分（ハリス１１のガン玉１３の取り付け部分）を釣糸用粘着剤部２６に数回擦り付けて、この部分の外周面に釣糸用粘着剤２５を付着させる。このとき、釣糸用粘着剤部２６の上下両側に指置き空間が存在するため、ハリス１１のガン玉１３の取り付け部分を、釣糸用粘着剤部２６に押し付ける作業が容易となる。
【００２７】
次にまた、指先でつまんだハリス１１の長さ方向をガン玉１３の割溝１２の延びる方向に一致させ、つまんだハリス１１の２箇所を第１の両面テープ２１の上面に押し付けるようにして、ハリス１１のガン玉１３の取り付け部分を割溝１２に差し込む（図４ａ）。このとき、押し付けられたハリス１１の２箇所が、第１の両面テープ２１の上面のうち、ガン玉１３を中心とした両側方のエリアｅにそれぞれ貼着（仮止め）される（図４ｂ）。これにより、従来法によるガン玉１３の取り付け方に比べて使用者の手の自由度が高まり、ガン玉１３を釣糸に取り付ける作業が容易となる。
その後、ガン玉１３が第１の両面テープ２１に仮止めされた状態で、ペンチＰを使用してガン玉１３をかしめる（図５）。７号サイズのガン玉１３や８号サイズのガン玉１３をハリス１１に取り付ける際も、同様の作業を行う。
【００２８】
このように、複数のガン玉１３を、第１，第２の両面テープ２１，２４を介して、割溝１２とは反対側の面を被接着面として、ガン玉保持具１０の本体であるガン玉ケース１４のガン玉保持面ａ，ｃに仮止めしたため、従来のガン玉ケース１４に複数のガン玉１３を投入したものの課題であった、取り扱い時（ケース開蓋時など）に、ガン玉ケース１４（保持基材）の外にガン玉１３がこぼれ落ちるおそれがない。また、ガン玉保持具１０をポケットに入れて持ち歩いても、ガン玉１３の割溝１２はつぶれるおそれもない。
さらに、あらかじめハリス１１のガン玉１３の取り付け部分に釣糸用粘着剤部２６を付着させるようにしたため、従来の割溝１２にゴム材が固着した高価なガン玉１３を使用せずとも、ガン玉１３の取り付け位置のずれを直す際などに、ハリス１１に傷を付けずにガン玉１３をハリス１１に沿って移動させることが可能で、かつ釣糸からガン玉１３も外れにくい（取り付け箇所からずれない）。
【産業上の利用可能性】
【００２９】
この発明のガン玉保持具は、例えば、水中に投入した撒き餌の中に仕掛けの餌を漂わせて行うふかせ釣り用の技術として有用である。
【符号の説明】
【００３０】
１０  ガン玉保持具、
１１  ハリス（釣糸）、
１２  割溝、
１３  ガン玉、
１４  ガン玉ケース（保持基材）、
２１  第１の両面テープ（仮止め用接着剤）、
２４  第２の両面テープ（仮止め用接着剤）、
２５  釣糸用粘着剤、
２６  釣糸用粘着剤部、
ａ，ｃ  ガン玉保持面。
【図１】
2017035028.tif 000003
【図２】
2017035028.tif 000004
【図３】
2017035028.tif 000005
【図４】
2017035028.tif 000006
【図５】
2017035028.tif 000007